(57)【要約】【課題】本発明は、ＨＤＤモーター用接着樹脂組成物及びこれを用いたＨＤＤ用モーターに関する。【解決手段】本発明によるＨＤＤモーター用接着樹脂組成物は、ＨＤＤ用モーターの固定部材と回転部材とを接着し、第１の樹脂１００重量部と、硬化後の硬度が上記第１の樹脂より低い第２の樹脂２５〜８０重量部と、硬化剤４０〜１００重量部と、を含む。本発明によると、フレキシブルエポキシ樹脂を含むＨＤＤモーター用接着樹脂組成物でＨＤＤ用モーターを製作することにより、モーターの衝撃に対する信頼性品質を向上させることができる。【選択図】図１
2013067768.tif 000002
【特許請求の範囲】
【請求項１】
ＨＤＤ用モーターの固定部材と回転部材とを接着し、第１の樹脂１００重量部と、硬化後の硬度が前記第１の樹脂より低い第２の樹脂２５〜８０重量部と、硬化剤４０〜１００重量部と、を含む、ＨＤＤモーター用接着樹脂組成物。
【請求項２】
前記第１の樹脂は、ビスフェノールＡ−エポキシ樹脂である、請求項１に記載のＨＤＤモーター用接着樹脂組成物。
【請求項３】
前記第２の樹脂は、フレキシブルエポキシ樹脂である、請求項１または２に記載のＨＤＤモーター用接着樹脂組成物。
【請求項４】
前記硬化剤は、メルカプタンである、請求項１から３の何れか１項に記載のＨＤＤモーター用接着樹脂組成物。
【請求項５】
前記接着樹脂組成物は、添加剤５〜８０重量部をさらに含む、請求項１から４の何れか１項に記載のＨＤＤモーター用接着樹脂組成物。
【請求項６】
前記接着樹脂組成物は、シリカ及び無機フィラーからなる群から選択された一つ以上の添加剤５〜８０重量部をさらに含む、請求項１から５の何れか１項に記載のＨＤＤモーター用接着樹脂組成物。
【請求項７】
固定部材及び回転部材と、
請求項１から６の何れか１項に記載の接着樹脂組成物と
を含む、ＨＤＤ用モーター。
【発明の詳細な説明】
【技術分野】
【０００１】
本発明は、衝撃に対する信頼性品質を確保することができるＨＤＤモーター用接着樹脂組成物及びこれを用いたＨＤＤ用モーターに関する。
【背景技術】
【０００２】
情報保存装置の一つであるハードディスクドライブ（ＨＤＤ）は、記録再生ヘッド（ｒｅａｄ／ｗｒｉｔｅ  ｈｅａｄ）を用いてディスクに保存されたデータを再生したりディスクにデータを記録したりする装置である。
【０００３】
このようなＨＤＤは、ディスクを駆動させることができるディスク駆動装置を必要とし、当該ディスク駆動装置には、小型のスピンドルモーターが用いられる。
【０００４】
上記小型のスピンドルモーターには流体動圧ベアリングアセンブリーが用いられており、当該流体動圧ベアリングアセンブリーの回転部材の一つであるシャフトと固定部材の一つであるスリーブとの間に潤滑流体が介在されて当該潤滑流体から生じる流体圧力でシャフトを支持するようになる。
【０００５】
上記流体動圧ベアリングアセンブリーの製造において、回転部材であるハブとシャフト、固定部材であるスリーブとキャップ、及び回転部材であるシャフトとスラストプレートの組み立ては、強度が高い接着材料としてエポキシ樹脂を塗布して行われている。
【０００６】
しかしながら、上記エポキシ樹脂を用いた接着は、接着強度を高めるのに限界があり、衝撃を受ける際に部品やエポキシ樹脂が割れてオイル漏出現象が生じる可能性があるため、衝撃に対する信頼性品質の確保に問題があることがある。
【０００７】
したがって、外部から衝撃が加えられる場合でも信頼性品質の確保に問題のない接着樹脂組成物の研究が求められている。
【発明の概要】
【発明が解決しようとする課題】
【０００８】
本発明は、衝撃に対する信頼性品質を確保することができるＨＤＤモーター用接着樹脂組成物及びこれを用いたＨＤＤ用モーターに関する。
【課題を解決するための手段】
【０００９】
本発明の一実施形態によるＨＤＤモーター用接着樹脂組成物は、ＨＤＤ用モーターの固定部材と回転部材とを接着し、第１の樹脂１００重量部と、硬化後の硬度が上記第１の樹脂より低い第２の樹脂２５〜８０重量部と、硬化剤４０〜１００重量部と、を含むことができる。
【００１０】
上記第１の樹脂は、ビスフェノールＡ−エポキシ樹脂であり、上記第２の樹脂は、フレキシブルエポキシ樹脂であり、上記硬化剤は、メルカプタンであることができる。
【００１１】
また、上記接着樹脂組成物は、添加剤５〜８０重量部をさらに含むことができる。特に、上記接着樹脂組成物は、シリカ及び無機フィラーからなる群から選択された一つ以上の添加剤５〜８０重量部をさらに含むことができる。
【００１２】
本発明の他の実施形態によるＨＤＤ用モーターは、固定部材及び回転部材と、上記固定部材と上記回転部材とを接着するために第１の樹脂１００重量部と硬化後の硬度が上記第１の樹脂より低い第２の樹脂２５〜８０重量部と硬化剤４０〜１００重量部とを含む接着樹脂組成物と、を含むことができる。
【００１３】
上記第１の樹脂は、ビスフェノールＡ−エポキシ樹脂であり、上記第２の樹脂は、フレキシブルエポキシ樹脂であり、上記硬化剤は、メルカプタンであることができる。
【００１４】
また、上記接着樹脂組成物は、添加剤５〜８０重量部をさらに含むことができる。特に、上記接着樹脂組成物は、シリカ及び無機フィラーからなる群から選択された一つ以上の添加剤５〜８０重量部をさらに含むことができる。
【発明の効果】
【００１５】
本発明によると、フレキシブルエポキシ樹脂を含むＨＤＤモーター用接着樹脂組成物でＨＤＤ用モーターを製作することにより、モーターの衝撃に対する信頼性品質を向上させることができる。
【図面の簡単な説明】
【００１６】
【図１】本発明の一実施形態による流体動圧ベアリングアセンブリーを含むＨＤＤ用モーターを示す概略断面図及び接着樹脂塗布部位の拡大図である。
【発明を実施するための形態】
【００１７】
以下、添付図面を参照して本発明の好ましい実施形態を説明する。但し、本発明の実施形態は、多様な他の形態に変形されることができ、本発明の範囲が後述する実施形態に限定されるものではない。また、本発明の実施形態は、当業界における通常の知識を有する者に本発明をより完全に説明するために提供されるものである。したがって、図面における要素の形状及びサイズなどは、より明確な説明のために誇張されることがある。なお、図面上において同一符号で表示される要素は、同一の要素である。
【００１８】
図１は、本発明の一実施形態による流体動圧ベアリングアセンブリーを含むＨＤＤ用モーターを示す概略断面図及び接着樹脂塗布部位の拡大図である。
【００１９】
図１を参照すると、本発明の一実施形態によるＨＤＤモーター用接着樹脂組成物１７０は、ＨＤＤ用モーターの固定部材１２０、１４０と回転部材１１０、１３０、２１２とを接着するために第１の樹脂１００重量部と、硬化後の硬度が上記第１の樹脂より低い第２の樹脂２５〜８０重量部と、硬化剤４０〜１００重量部と、を含むことができる。
【００２０】
以下、上記構成に関して詳細に説明する。
【００２１】
本発明の一実施形態によるＨＤＤモーター用接着樹脂組成物１７０は、固定部材１２０、１４０と回転部材１１０、１３０、２１２とを接着するために第１の樹脂１００重量部と、硬化後の硬度が上記第１の樹脂より低い第２の樹脂２５〜８０重量部と、を含むことができる。
【００２２】
上記第１の樹脂は、常温及び高温で上記固定部材１２０、１４０と上記回転部材１１０、１３０、２１２との接着強度を維持する役割をすることができる。
【００２３】
上記第１の樹脂は、固定部材と回転部材との接着強度を維持できるものであれば特に制限されず、例えば、ビスフェノールＡ−エポキシ樹脂であることができる。
【００２４】
上記第２の樹脂は、硬化後の硬度が上記第１の樹脂より低い樹脂で、強度が強い第１の樹脂を柔軟な構造に変性することにより、伸張性のある低弾性硬化物を得るようにすることができる。
【００２５】
これにより、上記固定部材１２０、１４０と回転部材１１０、１３０、２１２との剥離接着力を向上させることができる優れた効果がある。
【００２６】
上記第２の樹脂は、硬化後の硬度が上記第１の樹脂より低い樹脂であれば特に制限されず、例えば、フレキシブルエポキシ樹脂であることができる。
【００２７】
上記フレキシブルエポキシ樹脂の種類は、本発明の目的達成のために剛性の大きい第１の樹脂であるビスフェノールＡ−エポキシ樹脂より硬化後の硬度の低いものであれば特に制限されない。
【００２８】
上記第２の樹脂は、上記第１の樹脂１００重量部に対して２５〜８０重量部で含まれることができる。
【００２９】
上記第２の樹脂の含量が２５重量部未満の場合は、上記固定部材１２０、１４０と回転部材１１０、１３０、２１２との接着部位に衝撃が加えられる際に応力緩和の効果が弱くなることがある。
【００３０】
上記第２の樹脂の含量が８０重量部を超える場合は、接着部位の耐熱性及び接着性が低下して製品の信頼性が低下することがある。
【００３１】
また、本発明の一実施形態によるＨＤＤモーター用接着樹脂組成物１７０は、硬化剤４０〜１００重量部を含むことができる。
【００３２】
上記硬化剤は、上記第１の樹脂及び第２の樹脂を硬化させることができるものであれば特に制限されず、例えば、メルカプタンであることができる。
【００３３】
上記硬化剤は、特に制限されず、上記第１の樹脂１００重量部に対して４０〜１００重量部で含まれることができる。
【００３４】
上記硬化剤の含量が４０重量部未満の場合は、硬化が十分に行われない可能性があり、１００重量部を超える場合は、過量の硬化剤によって接着樹脂の物性低下をもたらす可能性があるという問題がある。
【００３５】
また、上記接着樹脂組成物１７０は、添加剤５〜８０重量部をさらに含むことができる。特に、上記接着樹脂組成物１７０は、シリカ及び無機フィラーからなる群から選択された一つ以上の添加剤５〜８０重量部をさらに含むことができる。
【００３６】
上記添加剤は、上記接着樹脂組成物１７０の作業性及び物性の向上のために添加されるもので、特に制限されず、例えば、シリカ及び無機フィラーからなる群から選択された一つ以上であることができる。
【００３７】
上記シリカは、粘度及び作業性の調節、接着性向上及び熱膨張防止等の役割をし、その含量に特に制限はなく、例えば、上記第１の樹脂１００重量部に対して５〜８０重量部で添加されることができる。
【００３８】
上記シリカの含量が５重量部未満の場合は、所望の作業性及び接着樹脂の物性が得られない可能性があり、８０重量部を超える場合は、過量の添加剤によって物性低下をもたらす可能性があるという問題がある。
【００３９】
上記無機フィラーもまた、粘度及び作業性の調節、接着性向上及び熱膨張防止等の役割をし、その含量に特に制限はなく、例えば、上記第１の樹脂１００重量部に対して５〜８０重量部で添加されることができる。
【００４０】
上記固定部材は、スリーブ１２０及びキャップ１４０であり、上記回転部材は、シャフト１１０、スラストプレート１３０及びハブベース２１２であることができる。
【００４１】
本発明の一実施形態によるＨＤＤモーター用接着樹脂組成物１７０は、固定部材１２０、１４０と回転部材１１０、１３０、２１２とを接着するために用いられることができる。
【００４２】
上記接着樹脂組成物１７０が用いられる接着部位は、上記固定部材及び上記回転部材の間であり、例えば、スリーブ１２０とキャップ１４０との間、シャフト１１０とスラストプレート１３０との間、シャフト１１０とハブベース２１２との間であることができる。
【００４３】
本発明の一実施形態によると、フレキシブルエポキシ樹脂を含むＨＤＤモーター用接着樹脂組成物１７０で上記固定部材１２０、１４０と回転部材１１０、１３０、２１２とを接着することにより、衝撃が加えられる場合に軸系構造の変形性を最小化して衝撃を吸収することができる。
【００４４】
これにより、ＨＤＤ用モーターの信頼性品質を向上させることができる優れた効果がある。
【００４５】
本発明の他の実施形態によるＨＤＤ用モーターは、固定部材１２０、１４０と回転部材１１０、１３０、２１２と、上記固定部材１２０、１４０と上記回転部材１１０、１３０、２１２とを接着するために第１の樹脂１００重量部と硬化後の硬度が上記第１の樹脂より低い第２の樹脂２５〜８０重量部と硬化剤４０〜１００重量部とを含む接着樹脂組成物１７０と、を含むことができる。
【００４６】
以下では、本発明の他の実施形態によるＨＤＤ用モーターに関して詳細に説明するが、上述した本発明の一実施形態と重なる説明に関しては省略する。
【００４７】
上記固定部材は、スリーブ１２０及びキャップ１４０であり、上記回転部材は、シャフト１１０、スラストプレート１３０及びハブベース２１２であることができる。
【００４８】
また、上記ＨＤＤ用モーターは、固定部材１２０、１４０と回転部材１１０、１３０、２１２との間、特に、スリーブ１２０とスラストプレート１３０とキャップ１４０との間にオイルシーリング部１６０が形成されることができる。
【００４９】
上記キャップ１４０は、上記スラストプレート１３０の上側から圧入されて当該スラストプレート１３０との間で潤滑流体がシーリングされるようにする部材であり、上記スラストプレート１３０と上記スリーブ１２０に圧入されるように外径方向に周方向の溝が形成されることができる。
【００５０】
上記キャップ１４０は、潤滑流体がシーリングされるようにするために、下面に突出部が形成されることができる。これは、モーターの駆動時に潤滑流体が外部に漏れることを防止するために毛細管現象及び潤滑流体の表面張力を利用したものである。
【００５１】
一方、本発明の他の実施形態によるＨＤＤ用モーター４００は、シャフト１１０と、スリーブ１２０と、スラストプレート１３０と、キャップ１４０と、オイルシーリング部１６０と、を含むことができる。
【００５２】
上記スリーブ１２０は、上記シャフト１１０の上端が軸方向上側に突出されるように当該シャフト１１０を支持し、Ｃｕ又はＡｌを鍛造するか又はＣｕ−Ｆｅ系合金粉末やＳＵＳ系粉末を焼結して形成されることができる。
【００５３】
ここで、上記シャフト１１０は、上記スリーブ１２０の軸穴と微小間隙を有するように挿入され、当該微小間隙には潤滑流体が充填され、当該シャフト１１０の外径及び当該スリーブ１２０の内径の少なくとも一つに形成されるラジアル動圧溝によってローター２００の回転をよりスムーズに支持することができる。
【００５４】
上記ラジアル動圧溝は、上記スリーブ１２０の軸穴の内部である当該スリーブ１２０の内側面に形成され、上記シャフト１１０の回転時に一方に偏向されるように圧力を形成させることができる。
【００５５】
上記ラジアル動圧溝は、上述したように上記スリーブ１２０の内側面に形成されることができるが、これに限定されず、上記シャフト１１０の外径部に形成されることもでき、個数にも制限がない。
【００５６】
上記スリーブ１２０は、当該スリーブ１２０の上部と下部とを連通するように形成されるバイパスチャンネル１２５を備えることにより、流体動圧ベアリングアセンブリー１００の内部の潤滑流体の圧力を分散させて平衡を維持できるようにし、上記流体動圧ベアリングアセンブリー１００の内部に存在する気泡等を循環によって排出するように移動させることができる。
【００５７】
ここで、上記スリーブ１２０の下部には、間隙を維持した状態で当該スリーブ１２０と結合し当該間隙に潤滑流体を収容するカバープレート１５０が結合されることができる。
【００５８】
上記カバープレート１５０は、上記スリーブ１２０との間隙に潤滑流体を収容することにより、それ自体で上記シャフト１１０の下面を支持するベアリングとしての機能を行うことができる。
【００５９】
上記スラストプレート１３０は、上記スリーブ１２０の軸方向上部に配置され、中央に上記シャフト１１０の断面に相応するホールを備えることにより当該ホールに当該シャフト１１０が挿入されるようにすることができる。
【００６０】
この際、上記スラストプレート１３０は、別途に製造されて上記シャフト１１０と結合することもでき、製造時から上記シャフト１１０と一体的に形成されることもでき、上記シャフト１１０の回転時に当該シャフト１１０に沿って回転するようになる。
【００６１】
また、上記スラストプレート１３０の上面には、上記シャフト１１０にスラスト動圧を提供するスラスト動圧溝が形成されることができる。
【００６２】
上記スラスト動圧溝は、上述したように上記スラストプレート１３０の上面に形成されることができるが、これに限定されず、上記スラストプレート１３０の下面に対応するスリーブ１２０の上面にも形成されることができる。
【００６３】
ステータ３００は、コイル３２０と、コア３３０と、ベース部材３１０と、を含むことができる。
【００６４】
即ち、上記ステータ３００は、電源の印加時に一定の大きさの電磁気力を発生させるコイル３２０と、当該コイル３２０が巻線される複数のコア３３０と、を備える固定構造物であることができる。
【００６５】
上記コア３３０は、パターン回路が印刷された印刷回路基板（図示せず）が備えられるベース部材３１０の上部に固定配置され、上記コイル３２０に対応するベース部材３１０の上部面には、当該コイル３２０を下部に露出させるように一定サイズのコイル孔が複数貫通形成されることができる。上記コイル３２０は、外部電源が供給されるように上記印刷回路基板（図示せず）と電気的に連結されることができる。
【００６６】
上記ベース部材３１０には、上記スリーブ１２０の外周面が圧入されて固定され、上記コイル３２０が巻線されるコア３３０が挿入され、当該ベース部材３１０の内面又は当該スリーブ１２０の外面に接着剤を塗布して組み立てられることができる。
【００６７】
上記ローター２００は、上記ステータ３００に対して回転可能に備えられる回転構造物であり、上記コア３３０と一定の間隔をおいて対応する環状のマグネット２２０を内周面に備えるローターケース２１０を含むことができる。
【００６８】
上記マグネット２２０は、周方向にＮ極とS極とが交互に着磁されて一定の強さの磁気力を発生させる永久磁石として備えられることができる。
【００６９】
ここで、上記ローターケース２１０は、上記シャフト１１０の上端に圧入されて固定されるようにするハブベース２１２と、当該ハブベース２１２から外径方向に伸び軸方向下側に折れ曲がって上記マグネット２２０を支持するマグネット支持部２１４と、からなることができる。
【００７０】
本発明のさらに他の実施形態によるＨＤＤ用モーターでは、第１の樹脂１００重量部と硬化後の硬度が上記第１の樹脂より低い第２の樹脂２５〜８０重量部と硬化剤４０〜１００重量部とを含む接着樹脂組成物で上記固定部材１２０、１４０と上記回転部材１１０、１３０、２１２とを接着することができる。
【００７１】
上記接着樹脂組成物で接着可能な接着部位は、上述したように特に制限されず、例えば、スリーブ１２０とキャップ１４０との間、シャフト１１０とスラストプレート１３０との間、シャフト１１０とハブベース２１２との間であることができる。
【００７２】
上述したように、硬化後の硬度が上記第１の樹脂より低い第２の樹脂、特に、フレキシブルエポキシ樹脂を２５〜８０重量部含む接着樹脂を用いることにより、剛性の大きいエポキシ樹脂を柔軟な構造に変性して優れた衝撃緩和効果を有することができる。
【００７３】
即ち、本発明の一実施形態による接着樹脂組成物は、伸張力のある低弾性硬化物で、接着力を向上させる上、これを用いたＨＤＤ用モーターに加えられる衝撃に対する吸収能力に優れているため、信頼性品質を確保することができる。
【００７４】
上記ＨＤＤ用モーター４００の製造方法は、上記固定部材１２０、１４０と回転部材１１０、１３０、２１２とを本発明の一実施形態による接着樹脂組成物で接着することを除いては一般的な製造方法と同一であることができる。
【００７５】
上記固定部材と上記回転部材は、特に制限されず、その具体的な例は上述した通りである。
【００７６】
本発明は、上述した実施形態及び添付の図面によって限定されることなく添付の特許請求の範囲によって限定される。したがって、特許請求の範囲に記載の本発明の技術的思想を逸脱しない範囲内で当該技術分野における通常の知識を有する者による多様な形態の置換、変形及び変更が可能であり、これもまた本発明の範囲に属する。
【符号の説明】
【００７７】
１００  流体動圧ベアリングアセンブリー
１１０  シャフト
１２０  スリーブ
１２５  バイパスチャンネル
１３０  スラストプレート
１４０  キャップ
１５０  カバープレート
１６０  オイルシーリング部
１７０  接着樹脂組成物
２００  ローター
２１０  ローターケース
２１２  ハブベース
２１４  マグネット支持部
２２０  マグネット
３００  ステータ
３１０  ベース部材
３２０  コイル
３３０  コア
４００  モーター
【図１】
2013067768.tif 000003